(57)【特許請求の範囲】
【請求項１】
入力映像信号に対して映像信号中の画像信号と同期信号に所定の信号処理を実施し、映像を表示するための複数の構成ブロックを有する映像信号処理装置において、
前記各構成ブロックにおける自己診断を指示し結果を収集する自己診断部と、前記自己診断結果をコード化する制御部と、前記入力映像信号を外部接続の記録機器に対応するフォーマットに信号変換して出力する出力映像信号発生部と、前記信号変換した出力信号の垂直ブランキング期間に含まれる映像信号以外の情報を生成する信号生成部と、前記信号変換した出力信号と前記信号生成部からの情報を重畳する重畳部と、を備え、
前記自己診断結果のコード化されたコードを前記信号生成部に入力し、前記コードを前記出力信号の垂直ブランキング期間に重畳して出力し、当該出力をモニターに接続して自己診断結果を観察可能とする
ことを特徴とする映像信号処理装置。
【請求項２】
請求項１において、
前記信号生成部はＴｅｌｅｔｅｘｔ信号を発生する発生手段であり、前記自己診断結果をＴｅｌｅｔｅｘｔ形式にして重畳して出力し、Ｔｅｌｅｔｅｘｔに対応するモニターで自己診断結果を観察可能とする
ことを特徴とする映像信号処理装置。
【請求項３】
請求項１において、
前記信号生成部はクローズドキャプション信号を発生する発生手段であり、前記自己診断結果をクローズドキャプション形式にして重畳し、クローズドキャプションに対応するモニターで自己診断結果を観察可能とする
ことを特徴とする映像信号処理装置。
【請求項４】
請求項１、２又は３において、
前記映像信号処理装置内の構成ブロック毎に自己診断結果を収集し、前記モニターで前記構成ブロック毎の自己診断結果を観察可能とする
ことを特徴とする映像信号処理装置。
【請求項５】
入力映像信号に対して、複数の信号処理を実施し映像を表示するために設けられた複数の構成ブロックを有する映像信号処理装置において、
前記入力映像信号を外部接続の記録機器に対応するフォーマットに信号変換して出力する出力映像信号発生部と、前記入力映像信号の垂直ブランキング期間に重畳された字幕信号や文字信号の情報を発生させる情報信号発生部と、前記出力映像信号発生部からの出力映像信号と前記情報信号発生部からの情報を重畳する重畳部と、前記重畳部からの信号を出力する出力端子と、を備え、
前記複数の構成ブロックの自己診断結果を収集する自己診断部を設け、前記自己診断部からの自己診断結果を前記情報信号発生部に入力することによって、前記出力端子に接続したモニターで自己診断結果を観察可能とする
ことを特徴とする映像信号処理装置。
【発明の詳細な説明】
【技術分野】
【０００１】
本発明は映像信号処理装置に係わり、例えば、入力した映像信号を表示すること以外に記録用やモニター用などの用途で外部へ映像信号を出力する機能を備え、内部の各ブロックの自己診断結果の確認を実施できる機能を有した映像信号処理装置に関し、また、入力した映像信号の垂直ブランキング部に重畳された信号をデコードしたデータをもとに表示用画像を生成し表示装置へ出力することが可能な機能を備え、内部の各ブロックの自己診断を行う機能を有した映像信号処理装置に関する。
【背景技術】
【０００２】
従来は、例えばＴＶのような、映像信号を入力し信号処理した結果を表示する装置を持つ家電製品が、内部に不具合が生じたことを判定するためには、内部の各ブロックの自己診断を行い、その結果を表示装置にメッセージとして表示することで、ユーザにどのような不具合が発生しているかを知らせることが可能である。
【０００３】
しかし、表示装置が何も表示しないような不具合に陥った場合には、自己診断結果をユーザに知らせる手段が無い。そのため、電源ランプが点灯か否かなどの外見で症状を判断することが可能な場合以外は、サービス担当者が筐体を開けて内部基板を直接観察する必要があるが、近年のＴＶの大型化により、ユーザ宅で筐体を開けることは困難である。
【０００４】
また、自己診断結果を単体では確認することが不可能なため、ネットワークや専用の通信端子と症状を解析するための治具を用意し、内部で何が発生しているかを判断する必要があった。
【０００５】
また、映像信号処理装置自体が簡単な自己診断を実行可能であることについて、ユーザに提示しているものであっても、詳細な自己診断を行う場合には、筐体内に特別な端子を用意し、特定の治具で作業を行う必要がある。例えば、ネットワークや専用の通信端子と症状を解析するための治具を用意し、内部で何が発生しているかを判断する必要があったが、近年のＴＶの大型化により、ユーザ宅で筐体を開けること自体が困難な場合もある。
【０００６】
また、家電製品にメンテナンスボタンを設けて自己診断を実施し、サービスセンタへ通報することで障害の状況を的確に把握して、家電製品の表示部に診断結果を表示するという自己診断機能を備えたシステムが、例えば、特許文献１に提案されている。
【特許文献１】特開２００６−１００９５１号公報
【発明の開示】
【発明が解決しようとする課題】
【０００７】
しかしながら、上述した従来技術における詳細な自己診断の場合、特別な端子や治具は通常の動作時には使用せず、不具合を特定するときにのみ使用されるため、部品点数の増加などのコストアップ要因となっている。さらに、上記の特許文献１に開示されているような、自己診断の結果を送信し、遠隔地のサービスセンタから不具合の対策を行うような従来技術は、診断の対象となる家電製品がネットワークに接続されている必要がある。
【０００８】
さらに、診断対象の装置として不具合はないが、入力した信号との組み合わせによってはユーザが望んでいない状態になる場合が生じることがある（例えば、横縦比４：３の映像信号が入力された場合、装置のオートワイド機構がユーザの意志とは関係なく動作してしまい、ユーザが故障として誤解する場合がある）。このような場合は装置内部の設定によって引き起こされる場合が多く、またユーザ自身も内容を理解しないまま設定する場合もあり、自己診断を行っても不具合が判明しない場合が多々ある。
【０００９】
本発明の目的は、記録用またはモニター用映像信号の垂直ブランキング期間に字幕放送や文字放送を重畳して送信できる出力信号発生回路を利用することで、映像信号処理装置内の各構成ブロックの自己診断結果を確認可能とし、さらに、入力映像信号の垂直ブランキング期間に重畳された信号をデコード可能な手段を備え、その入力映像信号に自己診断などのコマンドを重畳することにより特別な端子無しに映像信号処理装置内の各構成ブロックの自己診断を行うことが可能となる映像信号処理装置を提供することにある。
【課題を解決するための手段】
【００１０】
前記課題を解決するために、本発明は主として次のような構成を採用する。  
入力映像信号に対して映像信号中の画像信号と同期信号に所定の信号処理を実施し、映像を表示するための複数の構成ブロックを有する映像信号処理装置において、前記各構成ブロックにおける自己診断を指示し結果を収集する自己診断部と、前記自己診断結果をコード化する制御部と、前記入力映像信号を外部接続の記録機器に対応するフォーマットに信号変換して出力する出力映像信号発生部と、前記信号変換した出力信号の垂直ブランキング期間に含まれる映像信号以外の情報を生成する信号生成部と、前記信号変換した出力信号と前記信号生成部からの情報を重畳する重畳部と、を備え、前記自己診断結果のコード化されたコードを前記信号生成部に入力し、前記コードを前記出力信号の垂直ブランキング期間に重畳して出力し、当該出力をモニターに接続して自己診断結果を観察可能とする構成とする。
【００１１】
また、入力映像信号に対して、複数の信号処理を実施し映像を表示するために設けられた複数の構成ブロックを有する映像信号処理装置において、前記入力映像信号を外部接続の記録機器に対応するフォーマットに信号変換して出力する出力映像信号発生部と、前記入力映像信号の垂直ブランキング期間に重畳された字幕信号や文字信号の情報を発生させる情報信号発生部と、前記出力映像信号発生部からの出力映像信号と前記情報信号発生部からの情報を重畳する重畳部と、前記重畳部からの信号を出力する出力端子と、を備え、前記複数の構成ブロックの自己診断結果を収集する自己診断部を設け、前記自己診断部からの自己診断結果を前記情報信号発生部に入力することによって、前記出力端子に接続したモニターで自己診断結果を観察可能とする構成とする。
【発明の効果】
【００１３】
本発明によれば、自己診断結果を確認するための特別な端子を必要とすることなく、映像信号処理装置で不具合が発生している構成ブロックの特定がモニターの観察で可能になる。この際、モニターも規格化されたＣＣ信号やＴｅｌｅｔｅｘｔ信号対応のＴＶを用いることができるので、特別な治具や装置を必要とすることなく自己診断結果を観察できる。
【００１４】
また、入力信号の垂直ブランキング期間に自己診断用又は調整処理用のコマンドを重畳することで特別な端子を必要とすることなく、映像信号処理装置内の各構成ブロックの自己診断を行うことができる。さらに、特定の入力信号の印加時に不具合ではないがユーザの望んでいない現象（症状、状態）が生じた場合にどの構成ブロックでどのような設定が起因しているかを確認することができる。
【発明を実施するための最良の形態】
【００１５】
本発明の第１の実施形態に係る映像信号処理装置について、図１〜図４を参照しながら以下詳細を説明する。図１は本発明の実施形態に係る映像信号処理装置の内部構成を示す図である。図２は本実施形態に係る映像信号処理装置に接続されたモニターに表示される自己診断結果の表示例を示す図である。図３は本実施形態に関する自己診断結果に用いるＣＣ（Ｃｌｏｓｅｄ  Ｃａｐｔｉｏｎ）信号の表示例を示す図である。図４は本実施形態に関する自己診断結果に用いるＴｅｌｅｔｅｘｔ信号の表示例を示す図である。
【００１６】
図１に示す映像信号処理装置１において、まず、外部の再生機器などからの映像信号が入力端子２から入力される。ＡＤＣ３で映像信号をサンプリングしデジタル信号に変換後、映像入力部４に送る。一般的な映像信号処理装置ではアナログ信号以外にもデジタル信号での入力や、ＤＶＩやＨＤＭＩ等の高速シリアル信号での入力が考えられる。ただし、これらの違いは本実施形態の特徴には影響を及ぼさないため、入力信号はアナログ信号であるとして説明している。
【００１７】
映像入力部４では、入力された映像信号から同期を検出し有効領域を判別すると共に、以降の処理を容易にするように、色空間の変換やレベルの調整、また輝度信号と色差信号に分解する等の処理を行い映像信号処理部５へ送る。ここで、タイミング調整のためメモリを介して転送を行う場合もある。
【００１８】
映像信号処理部５は表示装置７に映像を表示するために必要な信号の変換処理、例えばインターレース信号が入力されている場合には必要ならＩＰ変換処理を行い、入力信号の解像度が表示装置７と異なる場合は解像度の変換処理等を行う。また、映像信号の輪郭の強調や色調の補正などの画質の改善処理を行う。映像信号処理部５で表示用に処理された映像信号は、表示信号発生部６で表示装置７用の同期信号の生成を行い、映像信号と同期信号とを合わせて表示装置７に送られる。表示装置７はＬＣＤ等で構成され、処理された映像信号を表示するものである。
【００１９】
本実施形態に係る映像信号処理装置１に不具合が生じた場合等で自己診断を行う必要があれば、自己診断装置１０は、各ブロック（例えば、本実施形態ではＡＤＣ３や映像入力部４や映像信号処理部５や表示信号発生部６や表示装置７など）に対して自己診断を行うように指示し、その結果を収集する。自己診断装置１０が収集した結果は制御装置９に送られる。
【００２０】
制御装置９は、通常の動作時はスライサー部８より送られてきた、映像信号に重畳されているクローズドキャプション信号（以下、ＣＣ信号と記す）またはＴｅｌｅｔｅｘｔ信号をスライスしデータ化したものを出力するが、自己診断を行った場合はその結果をＣＣもしくはＴｅｌｅｔｅｘｔの規格に合わせてコード化を行い、出力信号発生部２０内のＣＣ信号発生部２２とＴｅｌｅｔｅｘｔ信号発生部２３に送付する。
【００２１】
ここで、ＣＣ（Ｃｌｏｓｅｄ  Ｃａｐｔｉｏｎ）とＴｅｌｅｔｅｘｔについて説明する。ＣＣ信号は主に北米で用いられている字幕放送であり、垂直ブランキング期間の第２１ラインに重畳されて送信されている。ＣＣは英数字や記号などをコード化し画面上に字幕を出したり、視聴制限などの番組の情報を送信したりすることが可能になっている。米国では１９９３年より１３インチ以上の大きさのＴＶに搭載するよう義務づけられている。図３にＣＣ信号の表示例を示す。表示装置７上に表示されている映像信号に、字幕のように表示されている。
【００２２】
Ｔｅｌｅｔｅｘｔは欧州やアジアのＰＡＬ圏で使用されている文字放送であり、垂直ブランキング期間の数ラインを使用して文字や簡単な図形などのデータを転送する。データの内容は字幕だけでなくニュース、天気、スポーツ、交通情報、レジャー情報など幅広く送られており、リモコンなどで任意の画面を選択し表示することが可能である。図４にＴｅｌｅｔｅｘｔ信号の表示例を示す。表示装置７上にＴｅｌｅｔｅｘｔ信号をデコードして作成した画像を表示している。
【００２３】
映像信号処理装置１は表示装置７に表示する系とは別に、外部のＶＴＲ等の録画機器に映像信号を出力する系を持つ。映像入力部４から映像信号処理部５へ送られる信号は、同時に出力信号発生部２０に送られる。出力信号発生部２０は出力映像信号発生部２１において入力された信号を外部記録機器で記録可能なフォーマットに映像信号を変換する。例えば、ＶＴＲはＳＤ信号しか記録が出来ないため、ＨＤ等の解像度が高い信号が入力された場合はスケーリング等で解像度を落とす処理が必要になる。
【００２４】
また、出力信号発生部２０は、垂直ブランキング期間に映像以外の信号を重畳するためにＣＣ信号やＴｅｌｅｔｅｘｔ信号を発生するための、ＣＣ信号発生部２２とＴｅｌｅｔｅｘｔ信号発生部２３を有する。ＣＣ信号発生部２２とＴｅｌｅｔｅｘｔ信号発生部２３で生成された信号はＭＩＸ部２４に於いて、映像信号上の規格で定められた位置に重畳される。規格で定められた位置とは、ＣＣ信号はＮＴＳＣでの第２１ラインと第２６３ライン、Ｔｅｌｅｔｅｘｔ信号はＰＡＬでの第６ラインから第２２ラインと第３１８ラインから第３３５ラインの間それぞれ数ラインである。
【００２５】
出力信号発生部２０で作成された信号はＤＡＣ１１でアナログ信号に変換され出力端子１２から出力される。出力映像信号発生部２１からの出力信号に重畳されているＣＣ信号又はＴｅｌｅｔｅｘｔ信号には自己診断結果がコード化されているため、出力端子にＣＣ又はＴｅｌｅｔｅｘｔに対応したＴＶを接続することにより、内部診断の結果を確認することが可能になる。
【００２６】
図２にＣＣ又はＴｅｌｅｔｅｘｔ対応のモニター３０に表示された自己診断結果の例を示す。図２の表示例ではＣＣ信号を使用して自己診断結果を表示している。図２の例では、ブロックＢが自己診断の結果不良がでたことを示している。ＣＣやＴｅｌｅｔｅｘｔでは、英数字と記号しか扱えないため、例えばＡＤＣをブロックＡ、映像入力部をブロックＢ、映像信号処理部をブロックＣとあらかじめ定めるか、英数字で表せる名称を付けている。
【００２７】
この結果、たとえ映像が出力されていない場合でも、不具合が発生している箇所の特定が可能になる。また、不具合を確認するために接続するモニターも、米国や欧州ではごく一般的なＴＶで対応可能なため、特別な治具を必要とすることもないし、自己診断結果を確認するためだけに必要な端子なども不必要になる。
【００２８】
このように、本発明の第１の実施形態に係る映像信号処理装置は、次のような構成上の特徴を有するものである。すなわち、本実施形態の映像信号処理装置に入力される映像信号に対して、この映像信号処理装置内部に設けられた表示装置に出力するための信号処理を行うと同時に、入力映像信号を外部に接続される記録機器に対して、記録可能なフォーマットに変換して出力するときに、映像信号処理装置内部の自己診断を行った結果をコード化し、映像信号のブランキング期間に重畳して出力するものである。
【００２９】
また、第１の実施形態の具体的構成としては、自己診断した結果をＴｅｌｅｔｅｘｔ形式にして映像信号のブランキング期間に重畳し、Ｔｅｌｅｔｅｘｔ信号を表示できるモニターで簡易に確認が行えるものである。さらに、自己診断した結果をクローズドキャプション（ＣＣ）形式にして映像信号のブランキング期間に重畳し、ＣＣ信号を表示できるモニターで簡易に確認が行えるものである。
【００３０】
次に、本発明の第２の実施形態に係る映像信号処理装置について、図５〜図７を参照しながら以下詳細を説明する。図５は本発明の第２の実施形態に係る映像信号処理装置の内部構成を示す図である。図６はＮＴＳＣ信号上の垂直ブランキング期間とＣＣ（Ｃｌｏｓｅｄ  Ｃａｐｔｉｏｎ）信号の位置を示す図である。図７はＰＡＬ信号上の垂直ブランキング期間とＴｅｌｅｔｅｘｔ信号の位置を示す図である。
【００３１】
図５に示す第２の実施形態に係る映像信号処理装置１において、本実施形態での説明にはアナログコンポジット信号を入力する場合について説明する。入力された信号は、映像信号を処理する系と、垂直ブランキング期間に重畳された信号を処理する系に分けられる。
【００３２】
最初に、映像信号を処理する系について説明する。まず、外部の再生機器などからの映像信号が入力端子２から入力される。入力された信号はＡＤＣ３でサンプリングされデジタル信号に変換後に映像入力部４に送る。映像入力部４では、まず入力された映像信号から垂直同期信号と水平同期信号を検出する。垂直同期信号から映像の有効領域を判別すると共に、垂直ブランキング期間を判別する。有効領域の信号に対して、コンポジット信号は輝度信号上に色搬送波で変調された信号が重ね合わされているため、輝度信号と色信号の分離を行う。さらに、色信号についてはバースト信号から再生された色搬送波を用いてカラーデコード処理を行って色差信号に分離し、輝度信号と併せて映像信号処理部５へ送る。ここで、タイミング調整のためメモリを介して転送を行う場合もある。同時に垂直ブランキング期間の信号をＶＢＩ信号デコーダ３８に送る。
【００３３】
映像信号処理部５は表示装置７に映像を表示するために必要な信号の変換処理、例えばインターレース信号が入力されている場合には必要であればＩＰ変換処理を行い、入力信号の解像度が表示装置７と異なる場合は解像度の変換処理等を行う。また、映像信号の輪郭の強調や色調の補正などの画質の改善処理を行う。映像信号処理部５で表示用に処理された映像信号は、表示信号発生部６に送られ、表示装置７用の同期信号などの生成を行い、映像信号と同期信号とを合わせて表示装置７に送られる。表示装置７はＬＣＤ等で構成され、処理された映像信号を表示するものである。
【００３４】
次に、垂直ブランキング期間に重畳された信号の処理について説明する。映像信号の処理中に垂直ブランキング期間の信号はＶＢＩ信号デコーダ３８に送られる。垂直ブランキング期間に重畳される信号は、例えばＮＴＳＣ規格ではＣＣ（Ｃｌｏｓｅｄ  Ｃａｐｔｉｏｎ）が２１ラインに（次の垂直ブランキング期間には２８４ライン、図６を参照）、ＰＡＬ規格ではＴｅｌｅｔｅｘｔ信号が６〜２２ラインの間に重畳されている（図７を参照）。このラインの情報を取り込み、規格の定められている方法でデコードを行い、データに変換する。
【００３５】
Ｃｌｏｓｅｄ  ＣａｐｔｉｏｎやＴｅｌｅｔｅｘｔのデータには文字だけでなく表示位置や色などの情報が送られてきており、その情報を元に画像生成部３９で画像を生成することが可能である。生成された画像は表示信号発生部６に送られ、映像信号と切り替えて表示されるか、映像信号に重畳されて表示される。
【００３６】
第２の実施形態に係る映像信号処理装置１に不具合が生じた場合等で自己診断を行う必要があれば、垂直ブランキング期間に重畳された信号に自己診断を行うためのコードを重畳する。ＶＢＩ信号デコーダ３８はこのコマンドを受けてデコードし、デコード後のデータからコマンドを解析し作成するコマンド解析部４０を介して、内部の各構成ブロック（例えば、本実施形態ではＡＤＣ３や映像入力部４や映像信号処理部５や表示信号発生部６や表示装置７など）の自己診断を行うように自己診断装置４１に指示を行う。
【００３７】
自己診断装置４１は、各構成ブロックに対して自己診断を行うように指示し、その結果を収集する。自己診断装置４１が収集した結果は制御部４２に送られる。制御部４２は自己診断装置４１から送られてきた結果をＣｌｏｓｅｄ  ＣａｐｔｉｏｎもしくはＴｅｌｅｔｅｘｔ形式の信号に変換し画像生成部３９に送る。画像生成部３９は映像信号に重畳された信号と同様に画像を作成し表示信号生成部６に送る。この結果、標準的に搭載されている端子を用いて自己診断を開始することが可能となり、不具合が発生している箇所の特定が可能になる。
【００３８】
次に、映像信号に依存する現象（症状）を自己診断する場合について説明する。入力される映像信号はユーザが望んでいない状態を再現できる信号を用いる（例えば、表示の横縦比（アスペクト比）が４：３の映像信号が入力された場合にユーザが望んでいないオートワイド機能が動作して横縦比（アスペクト比）の拡大した映像が表示されると、ユーザは装置の故障と誤解する場合もあるので、上記の再現できる信号として４：３の入力映像信号を用いる）。その信号の垂直ブランキング期間に、内部の各ブロックの設定、調整等について自己診断装置４１を用いて調査し表示するコマンドを重畳した後に入力端子から入力する。
【００３９】
映像信号を処理する系は、設定（又は調整）されているまま処理を行うので、ユーザが望んでいない状態（オートワイド機能が動作した状態）を再現することが可能である。内部の各ブロックの自己診断を行った後に表示される結果には各ブロックの設定値や、入力信号がどのように処理されたかを示す情報が含まれており、内部のどの段階で望んでいない状態に設定されているかを確認することが可能となる。さらに、改善すべき構成ブロックが判明すれば内部設定の変更自体もコマンド化して入力することにより、現象（症状）が改善されたことをコマンドの入力と同時に確認することが可能となる。
【００４０】
以上、コンポジット入力について説明していたが、他のアナログ信号入力、例えばＳ端子からの入力についても映像入力部内の処理が一部変更になるだけで、ＣＣ信号やＴｅｌｅｔｅｘｔ信号を使っての処理については何ら変わらない。コンポーネント端子からの入力は、解像度によってＣｌｏｓｅｄ  ＣａｐｔｉｏｎもしくはＴｅｌｅｔｅｘｔの規格がないが、コマンドを重畳することが可能であれば、同様の処理を行うことが可能である。また、デジタル放送ではＣｌｏｓｅｄ  Ｃａｐｔｉｏｎ信号やＴｅｌｅｔｅｘｔ信号はデータの中のある領域に格納されることが決まっており、そのデータを用いることで同様の処理を行うことが可能となる。
【００４１】
以上説明したように、本発明の第２の実施形態に係る映像信号処理装置を概説すると、ＴＶや記録装置に備えられているビデオ映像の入出力端子を用い、入力端子からは、入力される映像信号の垂直ブランキング期間に、自己診断や調整処理を行うコマンドをクローズドキャプションやテレテキストとして重畳して入力し、特別な端子を用意することなく処理を制御できるようにするものであり、次のような構成上の特徴を有するものである。すなわち、入力映像信号に対して映像信号中の画像信号と垂直ブランキング期間に重畳される信号に所定の信号処理を実施し、映像を表示するための複数の構成ブロックを有する映像信号処理装置において、垂直ブランキング期間に重畳された信号をデコードする回路と、デコードした結果から自己診断用のコマンドを作成する回路と、前記各構成ブロックにおける自己診断を支持し結果を収集する自己診断部と、前記自己診断結果をコード化する制御部と、前記入力映像信号の垂直ブランキング期間に重畳された信号から表示用の画像を生成する画像生成部と、を備え、自己診断のコマンドが入力された場合に内部の各ブロックの自己診断を行うことものである。
【００４２】
また、前記映像信号処理装置において、入力信号の垂直ブランキング期間に重畳された信号はＴｅｌｅｔｅｘｔ形式の信号であり、Ｔｅｌｅｔｅｘｔ信号をデコードする回路を持ち、デコードした信号が自己診断用のコマンドである場合はそのコマンドを自己診断回路に送るものである。さらに前記映像信号処理装置において、入力信号の垂直ブランキング期間に重畳された信号はＣｌｏｓｅｄ  Ｃａｐｔｉｏｎ形式の信号であり、Ｃｌｏｓｅｄ  Ｃａｐｔｉｏｎ信号をデコードする装置を持ち、デコードした信号が自己診断用のコマンドである場合はそのコマンドを自己診断回路に送るものである。さらに、垂直ブランキング期間に重畳されている信号が自己診断を行うためのコマンドであるとともに、内部の各構成ブロックの設定、調整を変更するコマンドであることを可能とするものである。
【図面の簡単な説明】
【００４３】
【図１】本発明の第１の実施形態に係る映像信号処理装置の内部構成を示す図である。
【図２】第１の実施形態に係る映像信号処理装置に接続されたモニターに表示される自己診断結果の表示例を示す図である。
【図３】第１の実施形態に関する自己診断結果に用いるＣＣ（Ｃｌｏｓｅｄ  Ｃａｐｔｉｏｎ）信号の表示例を示す図である。
【図４】第１の実施形態に関する自己診断結果に用いるＴｅｌｅｔｅｘｔ信号の表示例を示す図である。
【図５】本発明の第２の実施形態に係る映像信号処理装置の内部構成を示す図である。
【図６】ＮＴＳＣ信号上の垂直ブランキング期間とＣＣ（Ｃｌｏｓｅｄ  Ｃａｐｔｉｏｎ）信号の位置を示す図である。
【図７】ＰＡＬ信号上の垂直ブランキング期間とＴｅｌｅｔｅｘｔ信号の位置を示す図である。
【符号の説明】
【００４４】
１  映像信号処理装置
２  入力端子
３  ＡＤＣ
４  映像入力部
５  映像信号処理部
６  表示信号発生部
７  表示装置
８  スライサー部
９  制御装置
１０  自己診断装置
１１  ＤＡＣ
１２  出力端子
１５  ＣＣ信号表示例
１６  Ｔｅｌｅｔｅｘｔ信号表示例
２０  出力信号発生部
２１  出力映像信号発生部
２２  ＣＣ信号発生部
２３  Ｔｅｌｅｔｅｘｔ信号発生部
３０  ＣＣ又はＴｅｌｅｔｅｘｔ対応モニター
３１  自己診断結果表示例
３８  ＶＢＩ信号デコーダ
３９  画像生成部
４０  コマンド解析部
４１  自己診断装置
４２  制御部
【図１】
0004815467.tif 000002
【図２】
0004815467.tif 000003
【図３】
0004815467.tif 000004
【図４】
0004815467.tif 000005
【図５】
0004815467.tif 000006
【図６】
0004815467.tif 000007
【図７】
0004815467.tif 000008